(57)【要約】      （修正有）【課題】スカートブラシに付着したゴミや埃を効率よく回収すると共に同時に消毒を行い、常に衛生的なスカートブラシにするための清掃消毒装置。【解決手段】スカートブラシ清掃消毒装置は、スカートガードから踏段方向にブラシ先端が突出して設けられたスカートブラシ３を有する乗客コンベアのスカートブラシ清掃消毒装置５であって、モータと、該モータの回転により風の流れを作る送風機６と、前記送風機と管でつながれ、前記スカートブラシに付着した埃を吸い込むための吸入口７と、前記送風機と管でつながれ、前記吸入口から送付機に流れる風を排出する排気口１０と、前記排気口から排出される消毒液と、前記消毒液を溜めておく消毒液タンク９と、前記スカートガードに添って前記踏段の移動方向に回転するガイドローラ８とを備えた。【選択図】図４
2012188234.tif 000002
【特許請求の範囲】
【請求項１】
無端状に連結されて循環移動する踏段と、該踏段の移動方向に沿って該踏段の両側に立設された欄干と、該欄干下部に位置し、該踏段の両側に設けられたスカートガードと、該スカートガードから踏段方向にブラシ先端が突出して該スカートガードと該踏段との隙間を覆い、該踏段の移動方向に沿って該スカートガードに設けられたスカートブラシを有する乗客コンベアのスカートブラシ清掃消毒装置であって、
モータと、該モータの回転により風の流れを作る送風機と、
前記送風機と管でつながれ、前記スカートブラシに付着した埃を吸い込むための吸入口と、
前記送風機と管でつながれ、前記吸入口から送付機に流れる風を排出する排気口と、
前記排気口から排出される消毒液と、前記消毒液を溜めておく消毒液タンクと、
前記スカートガードに添って前記踏段の移動方向に回転するガイドローラとを備えた、
ことを特徴とするスカートブラシ清掃消毒装置。
【請求項２】
伸縮可能な棒状体の両端それぞれに、吸入口及び排気口が外方へ向くように取り付けてなることを特徴とする請求項１に記載のスカートブラシ清掃消毒装置。
【請求項３】
踏段に対する固定部材を設け、踏段の移動共にスカートブラシの上下をガイドローラが回転移動するように構成したことを特徴とする請求項１又は２に記載のスカートブラシ清掃消毒装置。
【請求項４】
取っ手を設けてなることを特徴とする請求項１又は２に記載のスカートブラシ清掃消毒装置。
【発明の詳細な説明】
【技術分野】
【０００１】
本発明の実施形態は、乗客コンベアのスカートガードに取り付けたスカートブラシの清掃及び消毒装置に関する。
【背景技術】
【０００２】
エスカレータなどの乗客コンベアには、移動する踏段と固定されたスカートガードとの間に両者が接触しないように隙間が設けられている。この隙間に異物が混入したり、靴が挟まることがないように、スカートガードから踏段方向に突出したスカートブラシが設置されている。スカートブラシは、先端がブラシになっており、埃やゴミなどの付着が考えられ、また、様々なものと接触するので雑菌の繁殖なども想定される。
【先行技術文献】
【特許文献】
【０００３】
【特許文献１】特開２００３−３００６８８号公報
【発明の概要】
【発明が解決しようとする課題】
【０００４】
従来よりスカートガードパネルを清掃するための清掃用具は知られているが、スカートブラシには決まった清掃方法や消毒方法がなく、作業者が独自の方法で清掃及び消毒を行っているのが実情である。また、スカートブラシは踏段付近に設置されており、清掃及び消毒作業が行いにくく、さらに作業者から見えない位置に付着したゴミや埃などが清掃されず、また消毒できない位置は放置されてしまう可能性がある。このような現状ではスカートブラシの汚れや雑菌の繁殖がひどくなり、本来の機能や衛生面の確保が課題となる。
【０００５】
その対策としてスカートガードに付着したゴミ等を効率よく回収し、同時に消毒を行い、常に安全で衛生的なスカートブラシを維持しておく必要がある。
【０００６】
本発明の実施形態は、上記のような課題に着目したものであって、スカートブラシに付着したゴミや埃を効率よく回収すると共に同時に消毒を行い、常に衛生的なスカートブラシにするための清掃消毒装置を提供することを目的とする。
【課題を解決するための手段】
【０００７】
本発明の実施形態に係るスカートブラシ清掃消毒装置（以下、「清掃消毒装置」という。）は、無端状に連結されて循環移動する踏段と、該踏段の移動方向に沿って該踏段の両側に立設された欄干と、該欄干下部に位置し、該踏段の両側に設けられたスカートガードと、該スカートガードから踏段方向にブラシ先端が突出して該スカートガードと該踏段との隙間を覆い、該踏段の移動方向に沿って該スカートガードに設けられたスカートブラシを有する乗客コンベアのスカートブラシ清掃消毒装置であって、モータと、該モータの回転により風の流れを作る送風機と、前記送風機と管でつながれ、前記スカートブラシに付着した埃を吸い込むための吸入口と、前記送風機と管でつながれ、前記吸入口から送付機に流れる風を排出する排気口と、前記排気口から排出される消毒液と、前記消毒液を溜めておく消毒液タンクと、前記スカートガードに添って前記踏段の移動方向に回転するガイドローラとを備え、前記スカートブラシを前記踏段の移動方向に摺動することを特徴とする。
【図面の簡単な説明】
【０００８】
【図１】本発明の実施形態に係るエスカレータの概要を示す一部省略側面図である。
【図２】本発明の実施形態に係るエスカレータの概要を示す一部省略正面図である。
【図３】本発明の実施例１に係る清掃消毒装置の斜視図である。
【図４】本発明の実施例１に係る清掃消毒装置の内部構造を示す斜視図である。
【図５】本発明の実施例１に係る清掃消毒装置を取り付けた状態における内部構造を示す平面図である。
【図６】本発明の実施例１に係る清掃消毒装置を取り付けた状態を示す側面図である。
【図７】本発明の実施例２に係る清掃消毒装置を取り付けた状態を示す正面図である。
【図８】本発明の実施例３に係る清掃消毒装置を取り付けた状態を示す正面図である。
【図９】本発明の実施例４に係る清掃消毒装置を取り付けた状態を示す正面図である。
【発明を実施するための形態】
【０００９】
以下、本発明の実施の形態に係る清掃消毒装置の実施例について、図面を参照して説明する。
【実施例１】
【００１０】
図１及び図２はエスカレータの概要を示し、図３〜図６は第一の実施の形態を示す。図１及び図２において、１はエスカレータを示し、エスカレータ１は複数の踏段４が無端状に連結され、不図示の駆動源により所定の軌道を循環移動するように構成されており、この踏段４の循環移動により、踏段４が下階側から上階側へ、また、上階側から下階側へ移行すると共に踏段４に乗った乗客が移動できるようになっている。踏段４の移動方向に添って、踏段４の両側に欄干２が立設されており、欄干２の下部にはスカートガードが設けられ、該スカートガードには、スカートガードから踏段方向に突出するブラシ先端を有するスカートブラシ３（３ａ、３ｂ）が設けられている。スカートブラシ３は、スカートガードと該踏段４との隙間を覆うように、踏段４から若干上方であって踏段４の移動方向に沿ってスカートガードに設けられている。
【００１１】
清掃消毒装置５は、ハウジング内部に収納された送風機６と吸入口７と排気口１０と消毒液タンク９とガイドローラ８とから構成される。
【００１２】
前記送風機６は、不図示のモータとファンとフィルタ等のゴミ溜め手段とが内蔵されており、モータの回転によりファンが回転して風の流れを作る。
【００１３】
吸入口７は、送風機６と管でつながれており、送風機６の作動により、スカートブラシ３に付着したゴミや埃を吸い込む。すなわち送風機６は、掃除機などに使用されている負圧を発生させるものを使用し、モータの回転により発生する負圧による空気の流れにより、吸入口７からスカートブラシ３に付着したゴミ等の回収を行う。
【００１４】
排気口１０は、送風機６と管でつながれており、前記吸入口７から送付機６に流れ込む風をスカートブラシ３に対して排出する。なお、吸入口７から吸い込んだゴミや埃は送風機６に内蔵されるゴミ溜め手段により除去されるので、排気口１０からゴミや埃は排出されない。
【００１５】
消毒液タンク９は、その内部に消毒液が収容されており、該消毒液は、排気口１０からスカートブラシ３に対して排出される。すなわち、排気口１０からの排気を利用して霧吹きの原理を使用し、消毒液タンク９に溜められた消毒液を排気口１０から排出することにより、スカートブラシ３に対して消毒液の散布を行う。
【００１６】
ガイドローラ８はスカートガードに添ってスカートブラシ３の上下をスカートブラシ３の長さ方向に回転移動し、清掃消毒装置５は踏段４の移動方向に摺動する。
【００１７】
以上のように構成された清掃消毒装置５をスカートガードに添って動かし、清掃と消毒を同時に行う。すなわち、スカートブラシ３に添って清掃消毒装置を動かすと、スカートブラシ３に付着したゴミ等を効率よく回収し、同時に消毒を行うことができる。
【実施例２】
【００１８】
図７は第二の実施の形態を示す。本実施の形態に係る清掃消毒装置２５は、第一の実施の形態における清掃消毒装置５に伸縮可能な棒状体、すなわち伸縮棒１２を取り付けたものである。すなわち、伸縮棒１２を介してその両端それぞれに吸入口７及び排気口１０が外方へ向くように清掃消毒装置５を取り付けたものである。
【００１９】
通常エスカレータにはスカートブラシ３が両サイドについている場合が多い。このような場合に対処するために、清掃消毒装置５を２つ用意し、それぞれをスカートブラシ３に取り付ける。さらに２つの清掃消毒装置５を伸縮棒１２を介してその両端に連結固定すると、本実施の形態における清掃消毒装置２５が完成する。伸縮棒１２を使用することにより、様々なタイプの欄干幅のエスカレータに対応することができる。
【００２０】
左右のスカートブラシ３に清掃消毒装置５を取り付け、清掃消毒装置５を摺動させる。清掃消毒装置２５は、伸縮棒１２で清掃消毒装置５同士を固定しているため、伸縮棒１２を動かすことにより、各清掃消毒装置５は左右のスカートブラシ３を同時に移動するので、左右同時に清掃消毒作業を行うことが可能である。
【００２１】
以上のように第二の実施の形態に係る清掃消毒装置２５は、第一の実施の形態における清掃消毒装置５と同様にスカートガードに添って動かすことにより清掃と消毒を同時に行うことができる。また左右同時に清掃消毒作業が行えるため、エスカレータ一台分を一度の作業で終わらせることが可能である。
【実施例３】
【００２２】
図８は第三の実施の形態を示す。本実施の形態に係る清掃消毒装置３５は、第一の実施の形態である清掃消毒装置５を備えた第二の実施の形態である清掃消毒装置２５に、踏段４に清掃消毒装置２５が固定できるように固定部材として固定台１３を設けたものである。すなわち、踏段４に対する固定台１３部材を設けたことにより、踏段４の移動共にスカートブラシ３の上下をガイドローラ８が回転移動し、清掃消毒装置３５が摺動するように構成したものである。なお、第一の実施の形態である清掃消毒装置５単体に固定台１３を設けた構成としてもよい。
【００２３】
固定台１３で踏段４と第二の実施の形態である清掃消毒装置２５を固定する。固定台１３は左右踏段４の上面に固定するものであり、左右の両方あるいはどちらか一方、さらに踏段４の全幅に跨るものでも使用可能である。このように踏段４の上面に設置した固定台１３に第二の実施の形態である清掃消毒装置２５を取り付けると、スカートブラシ３は踏段４の移動方向に添って取り付けられているため、エスカレータを運転させると踏段４の移動に伴い、清掃消毒装置３５が移動する。なお、固定台１３は踏段４とスカートブラシ３のと間隔の変化に対応できるように、固定台１３にばね材やゴム材などの伸縮材を介在させて上下方向に伸縮性を持たせてもよい。
【００２４】
以上のように第三の実施の形態に係る清掃消毒装置３５は、第一の実施の形態における清掃消毒装置５又は第二の実施の形態である清掃消毒装置２５と同様にスカートガードに添って動かすことにより清掃と消毒を同時に行うことができる。また、清掃消毒装置３５が自動でスカートブラシ３上を移動するので作業者が清掃消毒装置を移動させる必要がなくなる。他の作業を行っている間に踏段４と共に自動的に移動する清掃消毒装置３５によりスカートブラシ３の清掃消毒作業ができるので作業効率が上がる。
【実施例４】
【００２５】
図９は第四の実施の形態を示す。本実施の形態に係る清掃消毒装置４５は、第一の実施の形態である清掃消毒装置５に、作業者が楽な姿勢で清掃消毒装置を動かすことができるように、作業者が操作する取っ手である移動棒１４を取り付けたものである。なお、第二の実施の形態である清掃消毒装置２５に移動棒１４を取り付けた構成としてもよい。
【００２６】
清掃消毒装置４５は、作業者が楽な姿勢で作業ができるように移動棒１４が取り付けられている。移動棒１４は清掃消毒装置５のガイドローラ８側とは反対方向に取り付けられている。移動棒１４を取り付けたため、作業者が楽な姿勢で清掃消毒装置５をスカートブラシ３に添って摺動させることができる。なお、移動棒１４は長さ調節可能な棒状体で構成してもよい。
【００２７】
以上のように第四の実施の形態に係る清掃消毒装置４５は、第一の実施の形態における清掃消毒装置５又は第二の実施の形態である清掃消毒装置２５と同様にスカートガードに添って動かすことにより清掃と消毒を同時に行うことができる。また、清掃消毒装置４５を使用することで作業者が無理な姿勢で作業を行うことがなくなり、作業者にかかる負担を抑えることができる。
【００２８】
なお、本実施例はエスカレータについて説明したが、動く歩道における踏段に対しても適用できるものである。また、実施の形態は例示であり、発明の範囲は実施の形態に限られるものではない。
【００２９】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１・・・・エスカレータ
２・・・・欄干
３・・・・スカートブラシ
３ａ・・・左側スカートブラシ
３ｂ・・・右側スカートブラシ
４・・・・踏段
５・・・・清掃消毒装置
６・・・・送風機
７・・・・吸入口
８・・・・ローラ
９・・・・消毒液タンク
１０・・・・排気口
１２・・・・伸縮棒
１３・・・・固定台
１４・・・・移動棒
【図１】
2012188234.tif 000003
【図２】
2012188234.tif 000004
【図３】
2012188234.tif 000005
【図４】
2012188234.tif 000006
【図５】
2012188234.tif 000007
【図６】
2012188234.tif 000008
【図７】
2012188234.tif 000009
【図８】
2012188234.tif 000010
【図９】
2012188234.tif 000011